【手続補正書】
【提出日】平成31年1月15日(2019.1.15)
【手続補正１】
【補正対象書類名】特許請求の範囲
【補正対象項目名】全文
【補正方法】変更
【補正の内容】
【特許請求の範囲】
【請求項１】
ワイヤレス通信ネットワークにおけるワイヤレス通信の方法であって、
セルから受信された信号のパラメータを測定することと、
前記受信信号の前記測定されたパラメータを第１のしきい値と比較することに少なくとも一部基づいて、前記セルがセル選択基準を満たさないと決定することと、
前記セルがカバレージ拡張をサポートするとき、第２のしきい値を決定することと、
前記セルが、カバレージ拡張にあるときに前記セル選択基準を満たすかどうかを決定するために、前記受信信号の前記測定されたパラメータを前記第２のしきい値と比較することと、
前記セルがカバレージ拡張において前記セル選択基準を満たすとき、ネットワークアクセスのために前記セルを選択することと、
前記選択することに少なくとも一部基づいて、前記セルにアクセス要求を送信することとを備える方法。
【請求項２】
前記セルが、サービングセルまたは近隣セルを備える、請求項１に記載の方法。
【請求項３】
前記セルのカバレージ拡張レベルに少なくとも一部基づいて前記セルについての前記第１のしきい値に適用するオフセットを決定することをさらに備える、請求項１に記載の方法。
【請求項４】
前記パラメータが、基準信号受信電力（ＲＳＲＰ）測定値または基準信号受信品質（ＲＳＲＱ）測定値のうちの一方または両方に少なくとも一部基づく、請求項１に記載の方法。
【請求項５】
前記セルが前記セル選択基準を満たさないと決定することは、
前記測定されたパラメータが前記第１のしきい値よりも小さいと決定することを備える、請求項１に記載の方法。
【請求項６】
ネットワークアクセスのために前記セルを選択することが、
予め定義された基準に従ってネットワークアクセスのために追加のセルを選択することを続けることを備える、請求項１に記載の方法。
【請求項７】
前記追加のセルを選択することを続けることが、
前記セルのブロードキャストチャネル送信を復号することを試みることと、
前記セルの前記ブロードキャストチャネル送信を復号することを不成功裏に試みることに少なくとも一部基づいて、前記ワイヤレス通信ネットワークへのアクセスのために前記追加のセルを選択することとを備える、請求項６に記載の方法。
【請求項８】
前記セルの前記ブロードキャストチャネル送信を復号することを試みることが、前記セルの物理ブロードキャストチャネル（ＰＢＣＨ）およびシステム情報ブロック（ＳＩＢ）を復号することを試みることを備える、請求項７に記載の方法。
【請求項９】
前記セルの基準信号密度が前記セルのカバレージ拡張レベルに少なくとも一部基づいて調整されると決定することと、
前記基準信号密度に少なくとも一部基づいて前記信号に関連する測定持続時間を調整することとをさらに備える、請求項１に記載の方法。
【請求項１０】
前記基準信号密度が前記カバレージ拡張レベルの関数として増加される、請求項９に記載の方法。
【請求項１１】
前記信号に関連する前記測定持続時間が前記カバレージ拡張レベルの関数として増加される、請求項９に記載の方法。
【請求項１２】
ワイヤレス通信のための装置であって、
プロセッサと、
前記プロセッサと電子通信しているメモリと、
前記メモリに記憶された命令とを備え、前記命令が、前記プロセッサによって実行されたとき、
セルから受信された信号のパラメータを測定することと、
前記受信信号の前記測定されたパラメータを第１のしきい値と比較することに少なくとも一部基づいて、前記セルがセル選択基準を満たさないと決定することと、
前記セルがカバレージ拡張をサポートするとき、第２のしきい値を決定することと、
前記セルが、カバレージ拡張にあるときに前記セル選択基準を満たすかどうかを決定するために、前記受信信号の前記測定されたパラメータを前記第２のしきい値と比較することと、
前記セルがカバレージ拡張において前記セル選択基準を満たすとき、ネットワークアクセスのために前記セルを選択することと、
前記選択することに少なくとも一部基づいて、前記セルにアクセス要求を送信することと
を前記装置にさせるように動作可能である、装置。
【請求項１３】
前記セルが、サービングセルまたは近隣セルを備える、請求項１２に記載の装置。
【請求項１４】
前記命令が、
前記セルのカバレージ拡張レベルに少なくとも一部基づいて前記セルについての前記第１のしきい値に適用するオフセットを決定することを前記装置にさせるようにさらに実行可能である、請求項１２に記載の装置。
【請求項１５】
前記パラメータが、基準信号受信電力（ＲＳＲＰ）測定値または基準信号受信品質（ＲＳＲＱ）測定値のうちの一方または両方に少なくとも一部基づく、請求項１２に記載の装置。
【請求項１６】
前記受信信号の前記測定されたパラメータを前記第１のしきい値と比較するための前記命令は、
前記測定されたパラメータが前記第１のしきい値よりも小さいと決定することを前記装置にさせるようにさらに実行可能である、請求項１２に記載の装置。
【請求項１７】
選択するための前記命令が、
予め定義された基準に従ってネットワークアクセスのために追加のセルを選択することを続けることを前記装置にさせるようにさらに実行可能である、請求項１２に記載の装置。
【請求項１８】
前記追加のセルを選択することを続けるための前記命令が、
前記セルのブロードキャストチャネル送信を復号することを試みることと、
前記セルの前記ブロードキャストチャネル送信を復号することを不成功裏に試みることに少なくとも一部基づいて、ワイヤレス通信ネットワークへのアクセスのために前記追加のセルを選択することとを前記装置にさせるようにさらに実行可能である、請求項１７に記載の装置。
【請求項１９】
前記セルの前記ブロードキャストチャネル送信を復号することを試みるための前記命令が、前記セルの物理ブロードキャストチャネル（ＰＢＣＨ）およびシステム情報ブロック（ＳＩＢ）を復号することを試みることを前記装置にさせるようにさらに実行可能である、請求項１８に記載の装置。
【請求項２０】
前記命令は、
前記セルの基準信号密度が前記セルのカバレージ拡張レベルに少なくとも一部基づいて調整されると決定することと、
前記基準信号密度に少なくとも一部基づいて前記信号に関連する測定持続時間を調整することとを前記装置にさせるようにさらに実行可能である、請求項１２に記載の装置。
【手続補正２】
【補正対象書類名】明細書
【補正対象項目名】０１３４
【補正方法】変更
【補正の内容】
【０１３４】
[0138]  本明細書の説明は、当業者が本開示を作成または使用することを可能にするために提供される。本開示への様々な変更は当業者には容易に明らかとなり、本明細書で定義された一般原理は、本開示の範囲から逸脱することなく他の変形形態に適用され得る。従って、本開示は、本明細書で説明した例および設計に限定されるべきでなく、本明細書で開示される原理および新規の特徴に合致する最も広い範囲を与えられるべきである。
以下に本願の出願当初の特許請求の範囲に記載された発明を付記する。
［Ｃ１］
ワイヤレス通信ネットワークにおけるワイヤレス通信の方法であって、
１つまたは複数のセルのカバレージ拡張レベルを示すシグナリングを受信することと、
前記カバレージ拡張レベルを前記１つまたは複数のセルについての受信電力情報と組み合わせることと、
前記組み合されたカバレージ拡張レベルと前記受信電力情報とを備えるセル選択パラメータに少なくとも一部基づいてネットワークアクセスのためのセルを選択することとを備える方法。
［Ｃ２］
前記１つまたは複数のセルが、サービングセルまたは近隣セルのうちの一方または両方を備える、Ｃ１に記載の方法。
［Ｃ３］
前記組み合わせることが、
前記１つまたは複数のセルのカバレージ拡張レベルに少なくとも一部基づいて前記１つまたは複数のセルについてのセル選択値に適用するオフセットを決定することをさらに備える、Ｃ１に記載の方法。
［Ｃ４］
前記セル選択パラメータが、基準信号受信電力（ＲＳＲＰ）測定値または基準信号受信品質（ＲＳＲＱ）測定値のうちの一方または両方に少なくとも一部基づく、Ｃ１に記載の方法。
［Ｃ５］
ネットワークアクセスのための前記セルを選択することは、
候補セルのためのセル選択パラメータがセル選択のしきい値よりも小さいと決定することを備える、Ｃ１に記載の方法。
［Ｃ６］
ネットワークアクセスのための前記セルを選択することが、
予め定義された基準に従ってネットワークアクセスのための追加のセルを選択することを続けることを備える、Ｃ１に記載の方法。
［Ｃ７］
追加のセルを選択することを続けることが、
前記セルのブロードキャストチャネル送信を復号することを試みることと、
前記セルの前記ブロードキャストチャネル送信を復号することを不成功裏に試みることに少なくとも一部基づいて、前記ワイヤレス通信ネットワークへのアクセスのための前記１つまたは複数のセルのうちの第２のセルを選択することとを備える、Ｃ６に記載の方法。
［Ｃ８］
前記第１のセルの前記ブロードキャストチャネル送信を復号することを試みることが、前記第１のセルの物理ブロードキャストチャネル（ＰＢＣＨ）およびシステム情報ブロック（ＳＩＢ）を復号することを試みることを備える、Ｃ７に記載の方法。
［Ｃ９］
前記１つまたは複数のセルのうちの１つのセルの基準信号密度が前記セルの前記カバレージ拡張レベルに少なくとも一部基づいて調整されると決定することと、
前記基準信号密度に少なくとも一部基づいて前記基準信号に関連する測定持続時間を調整することとをさらに備える、Ｃ１に記載の方法。
［Ｃ１０］
前記基準信号密度が前記カバレージ拡張レベルの関数として増加される、Ｃ９に記載の方法。
［Ｃ１１］
前記基準信号に関連する前記測定持続時間が前記カバレージ拡張レベルの関数として増加される、Ｃ９に記載の方法。
［Ｃ１２］
ワイヤレス通信ネットワークにおけるワイヤレス通信の方法であって、
前記ワイヤレス通信ネットワークにおいて第１のセルとの接続を確立することと、
前記第１のセルあるいは１つまたは複数の他のセルのうちの一方または両方のカバレージ拡張技法の使用に少なくとも一部基づいて前記１つまたは複数の他のセルの測定の周波数を低減することとを備える方法。
［Ｃ１３］
測定の前記低減された周波数に従って前記１つまたは複数の他のセルから受信される信号の１つまたは複数の信号パラメータを測定することと、
前記１つまたは複数の他のセルのうちの第２のセルとの接続を確立することを試みるべきかどうかを、前記第２のセルのための前記測定された信号パラメータと前記第１のセルおよび前記第２のセルに関連するカバレージ拡張レベルとに少なくとも一部基づいて決定することとをさらに備える、Ｃ１２に記載の方法。
［Ｃ１４］
測定の前記周波数を低減することが、
前記第１のセルに関連するカバレージ拡張レベルを識別することと、
前記第１のセルに関連する前記カバレージ拡張レベルに少なくとも一部基づいて前記第１のセルのためのセル選択基準を調整することと、
前記調整されたセル選択基準に少なくとも一部基づいて、少なくとも部分的に重複する周波数を有する前記１つまたは複数の他のセルから受信される信号の測定の前記周波数を制御するようにタイマーを構成することとを備える、Ｃ１２に記載の方法。
［Ｃ１５］
測定の前記周波数を低減することが、
前記第１のセルに関連するカバレージ拡張レベルを識別することと、
前記第１のセルと重複しない周波数を有する前記他のセルのうちの１つまたは複数を識別することと、
前記１つまたは複数の他のセルの前記重複しない周波数に関連する優先度に少なくとも一部基づいて前記他のセルのうちの１つまたは複数についての測定の前記周波数を調整することとを備える、Ｃ１２に記載の方法。
［Ｃ１６］
より高い優先度周波数を有する前記他のセルのうちの１つまたは複数についての測定が、前記第１のセルのタイマーまたは品質しきい値のうちの一方または両方に少なくとも一部基づいて行われる、Ｃ１５に記載の方法。
［Ｃ１７］
より低い優先度周波数を有する前記他のセルのうちの１つまたは複数についての測定が、前記第１のセルに関連するタイマーまたはセル選択基準へのオフセットのうちの一方または両方に少なくとも一部基づいて行われる、Ｃ１５に記載の方法。
［Ｃ１８］
ワイヤレス通信のための装置であって、
プロセッサと、
前記プロセッサと電子通信しているメモリと、
前記メモリに記憶された命令とを備え、前記命令が、前記プロセッサによって実行されたとき、
１つまたは複数のセルのカバレージ拡張レベルを示すシグナリングを受信することと、
前記カバレージ拡張レベルを前記１つまたは複数のセルについての受信電力情報と組み合わせることと、
前記組み合されたカバレージ拡張レベルと前記受信電力情報とを備えるセル選択パラメータに少なくとも一部基づいてネットワークアクセスのためのセルを選択することと
を前記装置にさせるように動作可能である、装置。
［Ｃ１９］
前記１つまたは複数のセルが、サービングセルまたは近隣セルのうちの一方または両方を備える、Ｃ１８に記載の装置。
［Ｃ２０］
前記命令が、
前記１つまたは複数のセルのカバレージ拡張レベルに少なくとも一部基づいて前記１つまたは複数のセルについてのセル選択値に適用するオフセットを決定することを前記装置にさせるようにさらに実行可能である、Ｃ１８に記載の装置。
［Ｃ２１］
前記セル選択パラメータが、基準信号受信電力（ＲＳＲＰ）測定値または基準信号受信品質（ＲＳＲＱ）測定値のうちの一方または両方に少なくとも一部基づく、Ｃ１８に記載の装置。
［Ｃ２２］
ネットワークアクセスのための前記セルを選択することは、
候補セルのためのセル選択パラメータがセル選択のしきい値よりも小さいと決定することを備える、Ｃ１８に記載の装置。
［Ｃ２３］
ネットワークアクセスのための前記セルを選択することが、
予め定義された基準に従ってネットワークアクセスのための追加のセルを選択することを続けることを備える、Ｃ１８に記載の装置。
［Ｃ２４］
追加のセルを選択することを続けることが、
前記セルのブロードキャストチャネル送信を復号することを試みることと、
前記セルの前記ブロードキャストチャネル送信を復号することを不成功裏に試みることに少なくとも一部基づいて、前記ワイヤレス通信ネットワークへのアクセスのための前記１つまたは複数のセルのうちの第２のセルを選択することとを備える、Ｃ２３に記載の装置。
［Ｃ２５］
前記第１のセルの前記ブロードキャストチャネル送信を復号することを試みることが、前記第１のセルの物理ブロードキャストチャネル（ＰＢＣＨ）およびシステム情報ブロック（ＳＩＢ）を復号することを試みることを備える、Ｃ２４に記載の装置。
［Ｃ２６］
前記命令は、
前記１つまたは複数のセルのうちの１つのセルの基準信号密度が前記セルの前記カバレージ拡張レベルに少なくとも一部基づいて調整されると決定することと、
前記基準信号密度に少なくとも一部基づいて前記基準信号に関連する測定持続時間を調整することとを前記装置にさせるようにさらに実行可能である、Ｃ１８に記載の装置。
［Ｃ２７］
ワイヤレス通信のための装置であって、
プロセッサと、
前記プロセッサと電子通信しているメモリと、
前記メモリに記憶された命令とを備え、前記命令が、前記プロセッサによって実行されたとき、
ワイヤレス通信ネットワークにおいて第１のセルとの接続を確立することと、
前記第１のセルあるいは１つまたは複数の他のセルのうちの一方または両方のカバレージ拡張技法の使用に少なくとも一部基づいて前記１つまたは複数の他のセルの測定の周波数を低減することと
を前記装置にさせるように動作可能である、装置。
［Ｃ２８］
前記命令が、
測定の前記低減された周波数に従って前記１つまたは複数の他のセルから受信される信号の１つまたは複数の信号パラメータを測定することと、
前記１つまたは複数の他のセルのうちの第２のセルとの接続を確立することを試みるべきかどうかを、前記第２のセルのための前記測定された信号パラメータと前記第１のセルおよび前記第２のセルに関連するカバレージ拡張レベルとに少なくとも一部基づいて決定することとを前記装置にさせるようにさらに実行可能である、Ｃ２７に記載の装置。
［Ｃ２９］
測定の前記周波数を低減することが、
前記第１のセルに関連するカバレージ拡張レベルを識別することと、
前記第１のセルに関連する前記カバレージ拡張レベルに少なくとも一部基づいて前記第１のセルのためのセル選択基準を調整することと、
前記調整されたセル選択基準に少なくとも一部基づいて、少なくとも部分的に重複する周波数を有する前記１つまたは複数の他のセルから受信される信号の測定の前記周波数を制御するようにタイマーを構成することとを備える、Ｃ２７に記載の装置。
［Ｃ３０］
測定の前記周波数を低減することが、
前記第１のセルに関連するカバレージ拡張レベルを識別することと、
前記第１のセルと重複しない周波数を有する前記他のセルのうちの１つまたは複数を識別することと、
前記１つまたは複数の他のセルの前記重複しない周波数に関連する優先度に少なくとも一部基づいて前記他のセルのうちの１つまたは複数についての測定の前記周波数を調整することとを備える、Ｃ２７に記載の装置。